(57)【要約】      （修正有）【課題】口部を封止フィルムでシールした合成樹脂製容器において、クラウン状にした封止フィルムを剥がす時、鍔部と封止フィルム辺部との隙間に指先が入らず、封止フィルムを指で剥がすことが困難となる場合がある。本発明は、開封時に封止フィルムを容易に剥がしやすくすること。【解決手段】合成樹脂製容器１の口部の鍔部３の縁部に切り欠き部４を形成することで、封止フィルム辺部の内側に指先が入りやすくなり剥がし易くできる。【選択図】図１
2012017142.tif 000002
【特許請求の範囲】
【請求項１】
内容物を注出入する口部を有し、該口部の下方に鍔部を設けてなる容器であって、該鍔部の縁部に切欠部を形成したことを特徴とする合成樹脂製容器。
【請求項２】
前記切欠部が、円弧上に切り欠いたことを特徴とする請求項１記載の合成樹脂製容器。
【発明の詳細な説明】
【技術分野】
【０００１】  本発明は、ペットボトルに代表される合成樹脂製容器に関し、その蓋体を容易に剥がすことが出来る易開封性容器に関する。
【背景技術】
【０００２】  近年、ペットボトル等に代表される合成樹脂製容器は、繰り返し内容物を密封することができるため、スクリューキャップを用いるのが定番となっている。【０００３】  しかし、キャップがあることにより、繰り返し使えるという利便性を持つ反面、非衛生的で、しかもキャップやラベル等を分離回収してリサイクルされる昨今、ボトルの口部に設けられるプラスチック製のキャップは、ネジ式のスクリューキャップ本体を取り外した後に、ボトルにキャップリングが残り、リサイクル時にキャップリングを分離しなければならず分離作業が煩雑であり、リサイクル上の課題も大きくなってきている。【０００４】  また、世界中でも環境意識が高まりつつあるが、海岸等に漂着するペットボトルも多く、それらのボトルのキャップも放置され、そのキャップにヤドカリが住み着くなどのショッキングで新たな環境破壊になってきている。【０００５】  そこで、本出願人は、先に特許文献１で示すような、キャップの代わりに封止フィルムを用いた超軽量合成樹脂製容器を発明した。【０００６】  この容器は、キャップやリブ（補強用の容器表面の凹凸）を不要とし、更なる軽量化や肉薄化が行えるので合成樹脂量が削減できるという原材料削減によるコストダウンや、使用後の容器は簡単に減容化でき、またキャップを無くすことで、上記に示した様な新たな環境破壊を招くことが無いという特長を有し、他に類を見ない環境配慮型ペットボトルを実現している。
【特許文献１】特開２００９−２０２９４７号公報
【発明の開示】
【発明が解決しようとする課題】
【０００７】  しかし、特許文献１で示した略円形状の封止フィルムをクラウン状にして口部を封止するが、封止フィルムを剥がす時、鍔部（容器を吊り下げ搬送する場合や内容物を充填する時に容器を支持するリングであって、サポートリングともいう。）と封止フィルムの辺部との隙間に指先が入らず、封止フィルムを指で剥がすことが困難となる場合がある。そこで、本発明は、開封時に封止フィルムを容易に剥がしやすくすることを目的とするものである。
【課題を解決するための手段】
【０００８】  第１の発明は、内容物を注出入する口部を有し、該口部の下方に鍔部を設けてなる容器であって、該鍔部の縁部に切欠部を形成したことを特徴とする合成樹脂製ボトルに関するものである。【０００９】  第２の発明は、前記切欠部が、円弧上に切り欠いたことを特徴とする請求項１記載の合成樹脂製容器に関するものである。
【発明の効果】
【００１０】  本発明は、合成樹脂製容器の鍔部に切り欠きを付けることにより、封止フィルムを指で容易に剥がすことができる。【００１１】  また、製造工程の自動搬送時や自動充填時においては、鍔部の一部に切り欠きを入れるだけなので、従来と同様にサポートリングの役目は十分に果たすことができる。
【発明を実施するための最良の形態】
【００１２】  鍔部を有する容器において、口部をシールした略円形状の封止フィルムを指で剥がし易くしたことを実現したもので、本発明の実施の形態に付いて以下に説明する。但し、本発明は合成樹脂製容器に限定せず、ガラス容器や金属容器など材質は問わず、封止フィルムを用いる鍔部のある全ての密閉容器に適用できるものである。【００１３】  アルミニウム箔と合成樹脂素材膜を積層した複合素材フィルムや１つ乃至複数の合成樹脂素材フィルムを用いた封止フィルムは、熱融着や糊付けして合成樹脂製容器等の密封シール材として用いられることが通例である。【００１４】  このような合成樹脂製容器の口部に密着させた封止フィルムを剥がす時は、その辺部の一片を指先で摘まんで剥がすことが一般的である。【００１５】  この時、指先で封止フィルムの一片を摘まむための空間が必要であるが、口部に密着させたクラウン状の封止フィルムの辺部は鍔部まで垂れ下がるため、指先をかける空間が取れない。【００１６】  そこで、鍔部の一部に切り欠き部を設け、その隙間から指先を入れ、封止フィルム辺部の一片を摘まめるようにした。この時、切り欠き部は、１ヵ所に限定するものではなく、複数個所設けても良い。【００１７】  切り欠き部の形状は、封止フィルムの辺部を指の爪先にひっかけ易くするために、指先の形状に沿った円弧形に切り欠いたものが最適であるが、半月状や凹形、△形など、爪先が入る程度の切り欠きであれば形状は限定しない。
【実施例】
【００１８】  図１に、本発明の切り欠き部を設けた鍔部付近の拡大概略図を示す。それぞれ、１は合成樹脂製容器、２は口部、３は鍔部、４は切り欠き部を示す。【００１９】  図２に、封止フィルム５で口部を密封した拡大概略図を示す。クラウン状に成形した封止フィルム５を口部に熱融着したもので、６は封止フィルム５の辺部を示す。【００２０】  この時、封止フィルム５の辺部６（口部径方向に折曲げた部分）を、指先で摘まむためには（図示せず）、１ｍｍ〜１０ｍｍ程度の長さが必要であり、最適には、３ｍｍ〜５ｍｍの長さである。【００２１】  一般的な従来からあるスクリューキャップ式の鍔部を有する合成樹脂製容器は、口部２から鍔部３までの距離は、２０ｍｍ程度であるが、封止フィルム５で口部２を密閉する場合は、その容器全体の軽量化とデザイン性向上を図るために、口部２から鍔部３までの距離は、２ｍｍ〜１５ｍｍにした方が良く、最適には５ｍｍ前後である。【００２２】  この時、鍔部３に切り欠き部４を設けることにより、その円弧状の切り欠き部４があることで封止フィルム５の辺部６を指の爪先でひっかけることができ、封止フィルム５の辺部６を指で摘まめるので、容易に封止フィルム５を剥がすことができる。この時の切り欠き部４の大きさは、半径１ｍｍ〜２０ｍｍ程度で良く、最適には半径５ｍｍ程度の円弧形状切り欠きである。【００２３】  また、切り欠き部４は、１つに限定せず複数個付けてもよく、また切り欠き部の形状も指先の形状に沿った円弧形に限定せず、半月状や凹形状、三角形状など、指先が封止フィルム辺部６の内側に入る形状であればよく、その切り欠き部の大きさも限定しない。
【産業上の利用可能性】
【００２４】  スクリューキャップを用いずに口部を封止フィルムでシールできるあらゆる材質の容器において、鍔部に切り欠き部を設けるだけで、口部を封止されたフィルムを指で簡単に剥がし易くできるので、飲料や食品に限定せず、あらゆる液体や粘性体、粉末等の内容物を入れる容器に適応できる。
【図面の簡単な説明】
【００２５】
【図１】本発明の切り欠き部を設けた合成樹脂製容器の拡大概略図であり、（ａ）は、その側面図であり、（ｂ）は、その上面図である。
【図２】本発明の封止フィルムで口部をシールした合成樹脂容器の拡大概略図である。
【符号の説明】
【００２６】  １  合成樹脂製容器
２  口部
３  鍔部
４  切り欠き部
５  封止フィルム
６  封止フィルム辺部
【図１】
2012017142.tif 000003
【図２】
2012017142.tif 000004